(57)【特許請求の範囲】
【請求項１】
第１蝶着部が設けられた第１の枠と、
前記第１蝶着部に対応する第２蝶着部が設けられ、前記第１の枠が開閉可能に取り付けられた第２の枠と
を備えた遊技機において、
前記第２蝶着部は、前記第２の枠に取り付けられる取付片と、前記取付片の端部から垂直に突出する平板状のベース片と、前記ベース片に設けられ、前記第１蝶着部を回動可能に支持する支持軸とを備え、
前記第１蝶着部は、前記第１の枠に取り付けられるとともに前記第１の枠の上下方向に沿って延びる縦フレーム片と、前記縦フレーム片の端部から垂直に突出し、前記ベース片と平行に配置されるとともに、前記第１の枠が閉じている状態において前記ベース片の上面側に重なるように配置される平板状のヒンジ受け片と、前記ヒンジ受け片に設けられ、前記支持軸が挿入支持される孔部とを備え、
前記ベース片及び前記ヒンジ受け片の少なくとも一方に、前記ベース片または前記ヒンジ受け片の外周縁から突出し、少なくともその先端部が前記ベース片の上面の上方または前記ヒンジ受け片の下面の下方に位置するように折り返された折り返し片が形成され、
前記支持軸が前記孔部に挿入支持されることによって前記第１の枠が前記第２の枠に支持され、前記第１の枠が閉じている状態において、前記折り返し片の先端部が前記ヒンジ受け片の上面及び前記ヒンジ受け片の下面の少なくとも一方に近接して配置され、前記ベース片と前記ヒンジ受け片との隙間が前記折り返し片によって覆われる
ことを特徴とする遊技機。
【請求項２】
前記ヒンジ受け片は、前記縦フレーム片の上端部から垂直に屈曲する上側ヒンジ受け片と、前記縦フレーム片の下端部から垂直に屈曲し、前記上側ヒンジ受け片と同一方向に突出する下側ヒンジ受け片とからなり、
前記第２蝶着部は、前記第２の枠の前面における上部に取り付けられる上側第２蝶着部と、前記第２の枠の前面における下部に取り付けられる下側第２蝶着部とからなり、
前記上側第２蝶着部は、前記取付片である上側取付片と、前記上側取付片の上端から垂直に屈曲する前記ベース片である上側ベース片とを備え、
前記下側第２蝶着部は、前記取付片である下側取付片と、前記下側取付片の下端から垂直に屈曲する前記ベース片である下側ベース片とを備え、
前記上側ベース片及び前記上側ヒンジ受け片の少なくとも一方に、前記上側ベース片または前記上側ヒンジ受け片の外周縁から突出し、その先端部が前記上側ベース片の上面の上方または前記上側ヒンジ受け片の下面の下方に位置するように折り返された前記折り返し片である上側折り返し片が形成され、
前記下側ベース片及び前記下側ヒンジ受け片の少なくとも一方に、前記下側ベース片または前記下側ヒンジ受け片の外周縁から突出し、その先端部が前記下側ベース片の上面の上方または前記下側ヒンジ受け片の下面の下方に位置するように折り返された前記折り返し片である下側折り返し片が形成され、
前記下側ヒンジ受け片において前記下側折り返し片が接触しない箇所に、前記下側ヒンジ受け片の外周縁から突出して下方に折り曲げられた折り曲げ片が形成され、
前記下側ベース片において前記下側折り返し片及び前記折り曲げ片が接触しない箇所に、前記下側ベース片の外周縁から突出して上方に折り曲げられた折り曲げ部が形成される
ことを特徴とする請求項１に記載の遊技機。
【請求項３】
前記下側折り返し片の先端部の幅が、前記上側折り返し片の先端部の幅よりも小さくなっていることを特徴とする請求項２に記載の遊技機。
【請求項４】
前記第１蝶着部に、前記縦フレーム片に対して前記ヒンジ受け片とは逆方向に突出する規制片が設けられ、前記第２蝶着部に、前記規制片が係合するための規制口が設けられていることを特徴とする請求項１乃至３のいずれか１項に記載の遊技機。
【請求項５】
前記折り返し片は、前記ベース片に形成されていることを特徴とする請求項１乃至４のいずれか１項に記載の遊技機。
【請求項６】
前記支持軸が前記下側ベース片の先端部に配置されるとともに、前記下側ベース片に形成された前記下側折り返し片が前記支持軸の近傍に配置され、
前記支持軸が、前記下側折り返し片、前記折り曲げ片及び前記折り曲げ部によって包囲される
ことを特徴とする請求項２または３に記載の遊技機。
【発明の詳細な説明】
【技術分野】
【０００１】
本発明は、遊技機に係り、特には、前枠を中枠に対して開閉可能に取り付ける機構に関するものである。
【背景技術】
【０００２】
一般に、パチンコ機や、遊技球（またはメダル）を遊技媒体としたスロットマシン等に代表される遊技機は、機体の外郭をなす外枠と、該外枠に対して着脱可能、開閉可能に取り付けられた前枠とを備えている。このような遊技機において、前枠を着脱可能、開閉可能にする機構（ヒンジ）は、遊技機の外側に露出するように設けられている。なお、前枠の開閉操作を容易にかつ円滑に行うために、ヒンジの各部材間にあらかじめ融通性を持たせてあることから、前枠が閉じている状態においても多少のガタツキが生じるようになっている。
【０００３】
しかしながら、閉じている状態での前枠のガタツキは、前枠を無理に持ち上げて外枠との間に隙間を生じさせ、その隙間から不正器具を挿入して遊技機内の装置を不正に作動させる不正行為の原因となりうる。このような不正行為が行われることに鑑み、近年、前枠を閉じたときの外枠との一体性を強めて、前枠の上方向への移動を規制する遊技機が提案されている（例えば、特許文献１参照）。
【０００４】
特許文献１に記載の遊技機は、外枠の下部と前枠の下部とにそれぞれ蝶着部材を有し、両者は支軸を介して回動可能になっている。また、外枠側の蝶着部材は係止爪片を有するとともに、前枠側の蝶着部材は係合凹部を有しており、前枠を閉じた状態で係止爪片が係合凹部に係止されるようになっている。これにより、外枠との一体性が強くなるため、前枠の上方向への移動を規制することができる。
【特許文献１】特許第３６３４９０５号公報（図７等）
【発明の開示】
【発明が解決しようとする課題】
【０００５】
しかしながら、特許文献１に記載の遊技機では、外枠側の蝶着部材と前枠側の蝶着部材との隙間にマイナスドライバー等の器具を挿入して前枠側の蝶着部材を変形させ、前枠側の蝶着部材を支軸から外すことにより、前枠と外枠との間に不正器具を挿入できる程度の隙間が生じるおそれがある。この場合、係止爪片や係合凹部が機能しなくなるため、上記の不正行為を防止できなくなってしまう。
【０００６】
また、近年の遊技機では、遊技者の興趣向上のために多様な演出が行われているが、その実現のためには複雑な制御が必要となるため、制御装置が重くなる傾向にある。特に、遊技機がスロットマシンである場合は制御装置が前枠側に設けられるため、制御装置の取り付けに伴って前枠も重くなり、前枠の開閉に支障を来す可能性がある。そこで、ヒンジの各部材を薄肉化するなどして遊技機の軽量化を図っているが、その反面、上記の器具が挿入された際にヒンジの各部材が曲がりやすくなるため、上記の不正行為が簡単に行われるおそれがある。
【０００７】
本発明は上記の課題に鑑みてなされたものであり、その目的は、枠同士の間に不正器具を挿入できる程度の隙間を生じさせて行う不正行為を確実に防止できる遊技機を提供することにある。
【課題を解決するための手段】
【０００８】
上記の課題を解決するために、請求項１に記載の発明は、第１蝶着部が設けられた第１の枠と、前記第１蝶着部に対応する第２蝶着部が設けられ、前記第１の枠が開閉可能に取り付けられた第２の枠とを備えた遊技機において、前記第２蝶着部は、前記第２の枠に取り付けられる取付片と、前記取付片の端部から垂直に突出する平板状のベース片と、前記ベース片に設けられ、前記第１蝶着部を回動可能に支持する支持軸とを備え、前記第１蝶着部は、前記第１の枠に取り付けられるとともに前記第１の枠の上下方向に沿って延びる縦フレーム片と、前記縦フレーム片の端部から垂直に突出し、前記ベース片と平行に配置されるとともに、前記第１の枠が閉じている状態において前記ベース片の上面側に重なるように配置される平板状のヒンジ受け片と、前記ヒンジ受け片に設けられ、前記支持軸が挿入支持される孔部とを備え、前記ベース片及び前記ヒンジ受け片の少なくとも一方に、前記ベース片または前記ヒンジ受け片の外周縁から突出し、少なくともその先端部が前記ベース片の上面の上方または前記ヒンジ受け片の下面の下方に位置するように折り返された折り返し片が形成され、前記支持軸が前記孔部に挿入支持されることによって前記第１の枠が前記第２の枠に支持され、前記第１の枠が閉じている状態において、前記折り返し片の先端部が前記ヒンジ受け片の上面及び前記ヒンジ受け片の下面の少なくとも一方に近接して配置され、前記ベース片と前記ヒンジ受け片との隙間が前記折り返し片によって覆われることを特徴とする遊技機をその要旨とする。
【０００９】
従って、請求項１に記載の発明によると、ベース部（ベース片）とヒンジ受け部（ヒンジ受け片）との隙間に器具を挿入してヒンジ受け部またはベース部を変形させようとしても、ベース部の下面またはヒンジ受け部の上面が折り返し部（折り返し片）の先端部に当接して防止されるため、ヒンジ受け部またはベース部を変形させて被支持部（孔部）に対する支持部（支持軸）の挿入状態を解除することができない。従って、第１の枠と第２の枠との間に不正器具を挿入できる程度の隙間を生じさせ、その隙間から遊技機内に不正器具を挿入して行う不正行為を確実に防止できる。
【００１０】
なお、前記第１蝶着部及び前記第２蝶着部を形成する材料は特に限定されず、金属材料や樹脂材料などが採用可能であるが、器具が挿入された際の変形を防ぐために、強度の高い金属材料を用いることが好ましい。また、第１蝶着部及び第２蝶着部の形成方法も特に限定されないが、金属板を屈曲させることによって形成すれば、第１蝶着部及び第２蝶着部の形成が容易になる。
【００１１】
また、請求項１に記載の発明では、第１の枠に取り付けられた第１蝶着部に孔部が設けられているため、孔部である分だけ、第１の枠を軽量化することができる。つまり、制御装置等が設けられている第１の枠を軽量化することによって、第１の枠の開閉に支障を来たす可能性を低下させることができる。また、第２の枠に取り付けられた第２蝶着部に突出している支持軸が設けられているため、第１の枠を第２の枠に取り付ける際に、狙いをつけて孔部に支持軸を挿入させやすい。
【００１２】
ところで、不正行為は、なるべく目立たないように（例えば、手を上に伸ばしたり、席を立ったりしなくても済むように）して行われるため、遊技機の下側が狙われる可能性が高い。従って、前記ヒンジ受け部は、前記縦フレーム部（縦フレーム片）の下端に設けられることが好ましい。このようにすれば、狙われやすい部分（縦フレーム部の下端にあるヒンジ受け部と、ベース部との隙間）への器具の挿入が困難になっているため、不正行為を効果的に防止できる。なお、前記ヒンジ受け部は、前記縦フレーム部の上端に設けられていてもよいし、前記縦フレーム部の上端及び下端にそれぞれ設けられていてもよい。なお、前記ヒンジ受け部を縦フレーム部の上端及び下端に設けた場合、ベース部を縦フレーム部の上端側及び下端側に設けることが好ましい。これにより、折り返し部が縦フレーム部の上端側及び下端側に設けられるため、よりいっそう不正行為を防止できる。
【００１３】
前記折り返し部は、ベース部に形成されていてもよいし、ヒンジ受け部に形成されていてもよい。なお、折り返し部をベース部とヒンジ受け部との両方に形成すれば、折り返し部の先端部とベース部（またはヒンジ受け部）との接触しうる面積の合計が大きくなるため、ベース部とヒンジ受け部との隙間に器具を挿入してヒンジ受け部またはベース部を変形させる行為をより確実に防止できる。しかも、ベース部とヒンジ受け部との隙間をより多くの箇所で覆うことができるため、ベース部とヒンジ受け部との隙間への器具の挿入をより確実に防止できる。
【００１４】
また、折り返し部は、遊技機の外部に露出することによって視認可能に設けられていてもよいし、他の部材の陰になることによって視認不能に設けられていてもよい。仮に、折り返し部が視認可能に設けられていれば、折り返し部の存在を見せて不正行為を諦めさせることができるため、不正行為を未然に防止できる。一方、折り返し部が視認不能に設けられていれば、折り返し部が目障りになりにくい。
【００１５】
さらに、折り返し部の幅（折り返し部と前記ベース部との接続部分の長さ、または、折り返し部と前記ヒンジ受け部との接続部分の長さ）は、可能な限り大きく設定されることが好ましい。このようにすれば、折り返し部の先端部とベース部（またはヒンジ受け部）との接触面積が大きくなるため、ベース部とヒンジ受け部との隙間に器具を挿入してヒンジ受け部またはベース部を変形させる行為をより確実に防止できる。しかも、ベース部とヒンジ受け部との隙間をより広範囲に覆うことができるため、ベース部とヒンジ受け部との隙間への器具の挿入をより確実に防止できる。しかし、折り返し部の幅を大きくしすぎると、第１蝶着部を回動させる際や、第１の枠を第２の枠に取り付ける際に、障害物となる可能性が高い。よって、上記折り返し部の幅は、障害物とならない範囲で、できるだけ大きく設定されることが好ましい。
【００１６】
また、折り返し部がベース部に形成されている場合、折り返し部の先端部とヒンジ受け部の上面との間隔は、先端に行くに従って広くなっていることが好ましい。このようにすれば、折り返し部の先端部とベース部との間にヒンジ受け部を誘導しやすくなる。一方、折り返し部がヒンジ受け部に形成されている場合、折り返し部の先端部とベース部の上面との間隔は、先端に行くに従って広くなっていることが好ましい。このようにすれば、折り返し部の先端部とヒンジ受け部との間にベース部を誘導しやすくなる。
請求項２に記載の発明は、請求項１において、前記ヒンジ受け片は、前記縦フレーム片の上端部から垂直に屈曲する上側ヒンジ受け片と、前記縦フレーム片の下端部から垂直に屈曲し、前記上側ヒンジ受け片と同一方向に突出する下側ヒンジ受け片とからなり、前記第２蝶着部は、前記第２の枠の前面における上部に取り付けられる上側第２蝶着部と、前記第２の枠の前面における下部に取り付けられる下側第２蝶着部とからなり、前記上側第２蝶着部は、前記取付片である上側取付片と、前記上側取付片の上端から垂直に屈曲する前記ベース片である上側ベース片とを備え、前記下側第２蝶着部は、前記取付片である下側取付片と、前記下側取付片の下端から垂直に屈曲する前記ベース片である下側ベース片とを備え、前記上側ベース片及び前記上側ヒンジ受け片の少なくとも一方に、前記上側ベース片または前記上側ヒンジ受け片の外周縁から突出し、その先端部が前記上側ベース片の上面の上方または前記上側ヒンジ受け片の下面の下方に位置するように折り返された前記折り返し片である上側折り返し片が形成され、前記下側ベース片及び前記下側ヒンジ受け片の少なくとも一方に、前記下側ベース片または前記下側ヒンジ受け片の外周縁から突出し、その先端部が前記下側ベース片の上面の上方または前記下側ヒンジ受け片の下面の下方に位置するように折り返された前記折り返し片である下側折り返し片が形成され、前記下側ヒンジ受け片において前記下側折り返し片が接触しない箇所に、前記下側ヒンジ受け片の外周縁から突出して下方に折り曲げられた折り曲げ片が形成され、前記下側ベース片において前記下側折り返し片及び前記折り曲げ片が接触しない箇所に、前記下側ベース片の外周縁から突出して上方に折り曲げられた折り曲げ部が形成されることをその要旨とする。
請求項３に記載の発明は、請求項２において、前記下側折り返し片の先端部の幅が、前記上側折り返し片の先端部の幅よりも小さくなっていることをその要旨とする。
請求項４に記載の発明は、請求項１乃至３のいずれか１項において、前記第１蝶着部に、前記縦フレーム片に対して前記ヒンジ受け片とは逆方向に突出する規制片が設けられ、前記第２蝶着部に、前記規制片が係合するための規制口が設けられていることをその要旨とする。
【００１７】
請求項５に記載の発明は、請求項１乃至４のいずれか１項において、前記折り返し片は、前記ベース片に形成されていることをその要旨とする。
【００１８】
従って、請求項５に記載の発明によると、ベース部とヒンジ受け部との隙間に器具を挿入してヒンジ受け部またはベース部を変形させる行為をより確実に防止できる。
【００１９】
なお、前記支持部は、前記ベース部の上面から突出し、前記被支持部としての孔部に挿入される支持軸であり、前記ベース部に形成された前記折り返し部の先端部の上面は、前記支持軸の上端よりも低くなるように配置されていることが好ましい。
【００２０】
このようにした場合、支持軸が孔部に挿入された状態で、ベース部とヒンジ受け部との間に器具を挿入してヒンジ受け部またはベース部を変形させようとしても、ヒンジ受け部に設けられている孔部は、支持軸の上端よりも下方に位置した状態を維持する。つまり、孔部に支持軸が挿入された状態が維持されるため、第１の枠と第２の枠との間に不正器具を挿入し、ヒンジ受け部またはベース部を変形させて支持部による被支持部の支持を解除することによって行う不正行為をより確実に防止できる。
【００２１】
また、前記ヒンジ受け部は、前記縦フレーム部の上端及び下端にそれぞれ設けられていることが好ましい。
【００２２】
このようにすれば、各ヒンジ受け部の下面側にそれぞれベース部を位置させた際に、前記折り返し部も、縦フレーム部の上端側及び下端側にそれぞれ位置するようになる。このため、上端側及び下端側の両方で、ベース部とヒンジ受け部との隙間への器具の挿入を防止することができる。ゆえに、第１の枠と第２の枠との間に不正器具を挿入できる程度の隙間を生じさせて行う不正行為をより確実に防止できる。
【００２３】
さらに、前記支持部が前記ベース部の先端部に配置されるとともに、前記ベース部に形成された前記折り返し部が前記支持部の近傍に配置されることが好ましい。
【００２４】
ところで、特許文献１に記載の従来技術では、支軸が外枠側の蝶着部材の先端部に配置されるが、外枠側の蝶着部材が有する係止爪片及び前枠側の蝶着部材が有する係合凹部は支軸から数ｃｍ以上離間して配置されている。よって、両蝶着部材間に器具を挿入して蝶着部材を変形させると、係止爪片及び係合凹部が機能する前に、支軸から外れてしまう。
【００２５】
そこで、折り返し部を支持部の近傍に配置すれば、支持部の近傍においてベース部とヒンジ受け部との間に器具を挿入してヒンジ受け部またはベース部を変形させようとしても、ヒンジ受け部の上面はすぐに折り返し部の先端に当接する。よって、ヒンジ受け部またはベース部の変形がより確実に防止されるため、支持部による被支持部の支持が解除されることを確実に防止できる。
【００２６】
また、前記折り返し部の先端部は、前記遊技機の正面に対して直交する方向を向いており、前記先端部の下面は、前記ベース部の上面と略平行に配置されることが好ましい。
【００２７】
ところで、特許文献１に記載の従来技術では、外枠側の蝶着部材が有する係止爪片の先端部は、遊技機の前方に突出しているため、外枠側の蝶着部材を構成する水平な片と係止爪片との間に器具を挿入して変形させやすい。
【００２８】
そこで、折り返し部の先端部が遊技機の正面に対して直交する方向（即ち、遊技機の横方向）を向くようにすれば、折り返し部の先端とヒンジ受け部との隙間が、前方に露出しなくなって目立たなくなるため、折り返し部とベース部との間に器具が挿入されにくくなる。このため、第１の枠と第２の枠との間に不正器具を挿入できる程度の隙間を生じさせて行う不正行為を防止しやすくなる。
請求項６に記載の発明は、請求項２または３において、前記支持軸が前記下側ベース片の先端部に配置されるとともに、前記下側ベース片に形成された前記下側折り返し片が前記支持軸の近傍に配置され、前記支持軸が、前記下側折り返し片、前記折り曲げ片及び前記折り曲げ部によって包囲されることをその要旨とする。
【発明の効果】
【００２９】
以上詳述したように、請求項１〜６に記載の発明によれば、枠同士の間に不正器具を挿入できる程度の隙間を生じさせて行う不正行為を確実に防止できる遊技機を提供することができる。
【発明を実施するための最良の形態】
【００３０】
以下、本発明の遊技機を、遊技球を遊技媒体としたスロットマシン１に具体化した一実施形態を図１〜図１０に基づき説明する。
（１）スロットマシン１の基本的構成
【００３１】
図１は、本実施形態のスロットマシン１を遊技者側から見たときの全体正面図である。このスロットマシン１は、機体の外郭をなす縦長方形状の外枠４と、外枠４の左端部に対して開閉可能に取り付けられた中枠３（第２の枠）と、中枠３の左端部に対して着脱可能、開閉可能に取り付けられた前枠２（第１の枠）とを備えている。前枠２の前面側上部には上部パネル６が取り付けられている。上部パネル６には、入賞となる図柄組み合わせや、該図柄組み合わせにより獲得できる賞球数などの説明が記載されている。また、上部パネル６の下側には中部パネル７が取り付けられており、中部パネル７の下側には下部パネル８が取り付けられている。
【００３２】
中部パネル７の左右両側部には、遊技の演出状態に応じて各種音声（効果音、言語音声など）を出力するスピーカ４５が互いに離間して形成されている。また、中部パネル７の中央部には、遊技状態に応じた各種表示内容を表示する演出表示器４０が設けられている。
【００３３】
図１に示す下部パネル８において、図示しない可変表示装置（例えば回胴部材を有するドラムユニットなど）の前方位置には、矩形状の表示装置保護窓９が配設されている。従って、この表示装置保護窓９を介して可変表示装置の表示領域（リール）が視認可能となっている。なお、可変表示装置の表示領域には、複数の図柄からなる図柄組み合わせが表示されるようになっている。また、下部パネル８の右下部には、球貸しボタン３５及び返却ボタン３６が設けられている。球貸しボタン３５は、遊技球の球貸しを行うために押圧操作され、返却ボタン３６は、カードユニット（図示略）に挿入されたプリペイドカードを返却するために押圧操作されるようになっている。
【００３４】
下部パネル８の下方位置には、入賞により払い出された遊技球や、遊技者が入れた遊技球などを貯留する上受け皿１１が設けられている。上受け皿１１の上面１１ａには、１ＢＥＴボタン２０及びＭＡＸＢＥＴボタン２１が設けられ、上受け皿１１の前面１１ｂには、回胴停止装置である３つの停止ボタン２２、スタートレバー２３及び球抜きボタン２４が配設されている。また、上受け皿１１の左側位置には、遊技球の払い戻しを行う際に押圧操作される精算ボタン２６が配設されている。
【００３５】
図１に示されるように、前記前枠２の前面における下端部中央には、球抜きボタン２４の操作によって上受け皿１１から排出された遊技球を貯留する下受け皿１２が設けられている。この下受け皿１２の前面には、該下受け皿１２に貯留された遊技球を外部に排出する際に操作される球抜きレバー２５が設けられている。
【００３６】
図２には、前枠２が取り外されて前記中枠３全体が露出した状態のスロットマシン１が示されている。中枠３の表面の中央部には、前記可変表示装置の表示領域を照射可能な複数の照明用発光ダイオード４４が設けられている。各照明用発光ダイオード４４は、前記表示装置保護窓９に表示される各図柄を目立たせるために後方から点灯するバックライトとして機能している。また、中枠３の表面の上部には、遊技球の払い出しを制御する払出制御基板４３が設けられている。
【００３７】
ところで、このようなスロットマシン１において、前枠２を着脱可能、開閉可能にするヒンジ機構は、その一部がスロットマシン１の外側に露出している。図１〜図３に示されるように、ヒンジ機構は、第１蝶着部５１、第１蝶着部５１に対応する上側第２蝶着部６１（第２蝶着部）、及び、同じく第１蝶着部５１に対応する下側第２蝶着部７１（第２蝶着部）から構成されている。以下、第１蝶着部５１、上側第２蝶着部６１及び下側第２蝶着部７１の構成を詳述する。
（２）第１蝶着部５１の構成
【００３８】
図３〜図６に示される第１蝶着部５１は、前枠２の後面における左端部に取り付けられており、金属板を屈曲させることによって形成されている。第１蝶着部５１は、上側第２蝶着部６１及び下側第２蝶着部７１を形成する金属板よりも薄い金属板によって形成されている。第１蝶着部５１は、『縦フレーム部』としての縦フレーム片５２と、『ヒンジ受け部』としての上側ヒンジ受け片５３ａ及び下側ヒンジ受け片５３ｂとを備えている。縦フレーム片５２は、前枠２の後面に対して面接触した状態で取り付けられており、取付状態において前枠２の上下方向に沿って延びている。縦フレーム片５２は、縦フレーム片５２の左端縁から垂直に屈曲し、取付状態において前枠２の前面側に突出する左側フレーム補強片５２ａと、縦フレーム片５２の右端縁から垂直に屈曲し、取付状態において前枠２の後面側に突出する右側フレーム補強片５２ｂとを有している。左側フレーム補強片５２ａ及び右側フレーム補強片５２ｂは、互いに逆方向に突出している。特に左側フレーム補強片５２ａは、縦フレーム片５２の左端部の略全体に亘って形成されている。また、縦フレーム片５２には、同縦フレーム片５２を前枠２の後面にネジ止めするための複数のネジ孔５６が設けられている。図４（ａ），（ｂ）に示されるように、縦フレーム片５２の上端部には、同縦フレーム片５２の幅方向に延びる規制片５５が切り起こしによって形成されている。規制片５５は、ヒンジ受け片５３ａ，５３ｂ及び左側フレーム補強片５２ａとは逆方向に突出している。
【００３９】
図３〜図６に示されるように、上側ヒンジ受け片５３ａは、縦フレーム片５２の上端全体から垂直に屈曲し、上記取付状態において前枠２の前面側に突出している。また、下側ヒンジ受け片５３ｂは、縦フレーム片５２の下端全体から垂直に屈曲し、取付状態において前枠２の前面側に突出している。両ヒンジ受け片５３ａ，５３ｂは、それぞれ略Ｌ字状をなし、互いに同一方向に突出している。図５，図９に示されるように、上側ヒンジ受け片５３ａは、前記上側第２蝶着部６１を構成するベース片６３の上面６３ａ側に位置している。また、上側ヒンジ受け片５３ａの先端部には、円形状をなす『被支持部』としての孔部５４ａが形成されており、孔部５４ａには上側第２蝶着部６１を構成する支持軸６４が挿入支持されるようになっている。なお、孔部５４ａの開口縁は上方に突出している。
【００４０】
一方、図６，図１０に示されるように、下側ヒンジ受け片５３ｂは、前記下側第２蝶着部７１を構成するベース片７３の上面７３ａ側に位置している。下側ヒンジ受け片５３ｂの面積は、上側ヒンジ受け片５３ａの面積よりもかなり大きく、本実施形態では上側ヒンジ受け片５３ａの約３倍の大きさに設定されている。また、下側ヒンジ受け片５３ｂの先端部には、円形状をなす『被支持部』としての孔部５４ｂが形成されており、孔部５４ｂには下側第２蝶着部７１を構成する支持軸７４が挿入支持されるようになっている。なお、孔部５４ｂの開口縁は上方に突出している。さらに、下側ヒンジ受け片５３ｂの先端縁の中央部には、同先端縁から突出して下方に折り曲げられた折り曲げ片５７が形成されている。
（３）上側第２蝶着部６１の構成
【００４１】
図２に示されるように、前記上側第２蝶着部６１は、前記中枠３の前面における左上部分に取り付けられている。図３〜図５に示されるように、上側第２蝶着部６１は、金属板を屈曲させることによって形成されており、略矩形板状をなす取付片６２と、『ベース部』としてのベース片６３とを備えている。取付片６２には、略矩形状をなす規制口６５が貫通形成されている。規制口６５は、前記第１蝶着部５１に形成された前記規制片５５が係合可能となっている。また、取付片６２における規制口６５の左右両側には、同取付片６２を中枠３にネジ止めするためのネジ孔６６がそれぞれ設けられている。
【００４２】
また、ベース片６３は、略矩形板状をなし、取付片６２の上端における左端部分から垂直に屈曲し、中枠３に取り付けた際に中枠３の前方に突出している。ベース片６３の突出量は、ベース片６３と取付片６２との接続部分の長さよりも大きくなっている。なお、ベース片６３の面積は、前記上側ヒンジ受け片５３ａの面積とほぼ等しくなっている。ベース片６３の先端部には、棒状をなす『支持部』としての支持軸６４が設けられている。支持軸６４は、ベース片６３とは別部材によって形成されており、殆どの部分がベース片６３の上面６３ａから突出するとともに、下端側がベース片６３を貫通して下面６３ｂから僅かに突出している（図９（ａ）参照）。また、支持軸６４の上端部は、テーパ状になっている。さらに、支持軸６４の下端部にはフランジ部６４ａ（図９（ａ）参照）が突設されており、フランジ部６４ａは上面６３ａに当接している。なお、この支持軸６４を前記上側ヒンジ受け片５３ａに設けられた前記孔部５４ａに挿入することにより、上側第２蝶着部６１（中枠３）に第１蝶着部５１（前枠２）が回動可能に支持される。
【００４３】
図３〜図５，図９に示されるように、ベース片６３には、『折り返し部』としての折り返し片６７が一体形成されている。折り返し片６７は、ベース片６３の外周縁左側の中央部から突出し、ベース片６３の上面６３ａ側に折り返されている。即ち、折り返し片６７の先端部６８は、ベース片６３の突出方向と直交する方向（スロットマシン１の正面に対して直交する方向）を向くように折り返されている。具体的にいうと、折り返し片６７の基端部６９は、ベース片６３に対して垂直に屈曲され、折り返し片６７の先端部６８は、基端部６９に対して垂直に屈曲されてベース片６３の上面６３ａの上方に位置している。先端部６８の幅は、基端部６９の幅と等しくなっている。折り返し片６７は、支持軸６４の近傍に配置されており、支持軸６４との最短距離が１ｃｍ以下（本実施形態では約０．９ｃｍ）に設定されている。先端部６８は、前枠２が閉じている状態において、上側ヒンジ受け片５３ａの上面５３ｃに近接して配置されている（図５（ａ），図９（ｂ）参照）。先端部６８の上面６８ａは、支持軸６４の上端よりも低くなるように配置されている。一方、先端部６８の下面６８ｂは、ベース片６３の上面６３ａと略平行に配置されているが、先端部６８は、先端に行くに従って上面６３ａとの距離が僅かに広がっている。このため、前枠２を閉じる際に、ベース片６３と先端部６８との間に上側ヒンジ受け片５３ａを誘導しやすくなる。
（４）下側第２蝶着部７１の構成
【００４４】
図２に示されるように、前記下側第２蝶着部７１は、前記中枠３の前面における左下部分に取り付けられている。図３，図４，図６，図７に示されるように、下側第２蝶着部７１は、上側第２蝶着部６１と同じ板厚を有する金属板を屈曲させることによって形成されており、略矩形板状をなす取付片７２と、『ベース部』としてのベース片７３とを備えている。取付片７２におけるベース片７３との接続部分近傍には、略矩形状をなす逃げ孔７５が設けられている。逃げ孔７５は、前記中枠３と前記外枠４とをつなぐヒンジ（図示略）が挿入可能となることにより、当該ヒンジの下側第２蝶着部７１への接触を防止する機能を有している。また、取付片７２における逃げ孔７５の左右両側には、同取付片７２を中枠３にネジ止めするためのネジ孔７６がそれぞれ設けられている。
【００４５】
図７，図８等に示されるように、ベース片７３は、略Ｌ字状をなしており、取付片７２の下端全体から垂直に屈曲し、中枠３に取り付けた際に中枠３の前方に突出している。ベース片７３の突出量は、前記上側第２蝶着部６１の前記ベース片６３の突出量とほぼ等しくなっている。ベース片７３の面積は、前記下側ヒンジ受け片５３ｂの面積とほぼ等しくなっている。また、ベース片７３の面積は、上側第２蝶着部６１のベース片６３の面積よりもかなり大きく、本実施形態ではベース片６３の約３倍の大きさに設定されている。ベース片７３の先端部には、棒状をなす『支持部』としての支持軸７４が設けられている。支持軸７４は、ベース片７３とは別部材によって形成されており、殆どの部分がベース片７３の上面７３ａから突出するとともに、下端側がベース片７３を貫通して下面７３ｂから僅かに突出している（図８，図１０（ａ）参照）。また、支持軸７４の上端部は、テーパ状になっている。さらに、支持軸７４の下端部にはフランジ部７４ａが突設されており、フランジ部７４ａは上面７３ａに当接している。なお、この支持軸７４を前記下側ヒンジ受け片５３ｂに設けられた前記孔部５４ｂに挿入することにより、下側第２蝶着部７１（中枠３）に第１蝶着部５１（前枠２）が回動可能に支持される。
【００４６】
図７，図８に示されるように、ベース片７３には、同ベース片７３の先端側縁から突出して上方に折り曲げられた折り曲げ片７９（折り曲げ部）が一体形成されている。折り曲げ片７９は、第１蝶着部５１の下側ヒンジ受け片５３ｂに設けられた前記折り曲げ片５７が接触しない箇所に配置されている。なお、折り曲げ片７９の突出量は、フランジ部７４ａの厚さとほぼ等しくなっている。この折り曲げ片７９と下側ヒンジ受け片５３ｂ側の折り曲げ片５７とにより、前枠２が閉じた状態で、ベース片７３と下側ヒンジ受け片５３ｂとの間に生じる隙間が前方に露出しなくなる。
【００４７】
図６〜図８，図１０等に示されるように、ベース片７３には、『折り返し部』としての折り返し片７７が一体形成されている。折り返し片７７は、ベース片７３の外周縁左側の略全体から突出し、ベース片７３の上面７３ａ側に折り返されている。即ち、折り返し片７７の先端部７８は、ベース片７３の突出方向と直交する方向（スロットマシン１の正面に対して直交する方向）を向くように折り返されている。具体的にいうと、折り返し片７７の基端部８０は、ベース片７３に対して垂直に屈曲され、折り返し片７７の先端部７８は、基端部８０に対して垂直に屈曲されてベース片７３の上面７３ａの上方に位置している。先端部７８の基端部８０との接続部分における幅は、基端部８０の幅よりもかなり小さく、本実施形態では基端部８０の１／３程度に設定されている。また、先端部７８の基端部８０との接続部分における幅は、前記上側第２蝶着部６１の折り返し片６７の先端部６８の幅よりも小さくなっている。先端部７８の幅は、先端に行くに従って徐々に小さくなっている。折り返し片７７は、支持軸７４の近傍に配置されており、支持軸７４との最短距離が１ｃｍ以下（本実施形態では約０．８ｃｍ）に設定されている。先端部７８は、前枠２が閉じている状態において、下側ヒンジ受け片５３ｂの上面５３ｄに近接して配置されている（図６（ａ），図１０（ｂ）参照）。先端部７８の上面７８ａは、支持軸７４の上端よりも低くなるように配置されており、先端部７８の下面７８ｂは、フランジ部７４ａよりも高くなるように配置されている（図１０（ａ）参照）。また、先端部７８の下面７８ｂは、ベース片７３の上面７３ａと略平行に配置されているが、先端部７８は、先端に行くに従って上面７３ａとの距離が僅かに広がっている。このため、前枠２を閉じる際に、ベース片７３と先端部７８との間に下側ヒンジ受け片５３ｂを誘導しやすくなる。
【００４８】
次に、第１蝶着部５１、上側第２蝶着部６１及び下側第２蝶着部７１の作用を説明する。
【００４９】
本実施形態では、ベース片７３に折り返し片７７を設け、ベース片６３に折り返し片６７を設けている。このため、ベース片７３と下側ヒンジ受け片５３ｂとの隙間に器具を挿入して下側ヒンジ受け片５３ｂを変形させようとしても、下側ヒンジ受け片５３ｂの上面５３ｄが折り返し片７７の先端部７８に当接して防止されるため、支持軸７４を孔部５４ｂから外すことができない。同様に、ベース片６３と上側ヒンジ受け片５３ａとの隙間に器具を挿入して上側ヒンジ受け片５３ａを変形させようとしても、上側ヒンジ受け片５３ａの上面５３ｃが折り返し片６７の先端部６８に当接して防止されるため、支持軸６４を孔部５４ａから外すことができない。ゆえに、前枠２と中枠３との間に隙間を生じさせることができないため、その隙間からの不正器具の侵入を確実に防止できる。
【００５０】
また、折り返し片７７の先端部７８の上面７８ａは、支持軸７４の上端よりも低くなるように配置され、かつ、折り返し片７７は支持軸７４の近傍に配置されている。また、折り返し片６７の先端部６８の上面６８ａは、支持軸６４の上端よりも低くなるように配置され、かつ、折り返し片６７は支持軸６４の近傍に配置されている。従って、ベース片７３と下側ヒンジ受け片５３ｂとの間に器具を挿入して下側ヒンジ受け片５３ｂを変形させようとしても、下側ヒンジ受け片５３ｂに設けられている孔部５４ｂは、支持軸７４が挿入された状態を維持する。しかも、折り返し片７７が支持軸７４の近傍にあるため、器具を挿入して下側ヒンジ受け片５３ｂを変形させようとしても、下側ヒンジ受け片５３ｂの上面５３ｄがすぐに折り返し片７７に当接することでより確実に防止される。同様に、ベース片６３と上側ヒンジ受け片５３ａとの間に器具を挿入して上側ヒンジ受け片５３ａを変形させようとしても、上側ヒンジ受け片５３ａに設けられている孔部５４ａは、支持軸６４が挿入された状態を維持する。しかも、折り返し片６７が支持軸６４の近傍にあるため、器具を挿入して上側ヒンジ受け片５３ａを変形させようとしても、上側ヒンジ受け片５３ａの上面５３ｃがすぐに折り返し片６７に当接することでより確実に防止される。よって、前枠２と中枠３との間に不正器具を挿入し、支持軸７４を孔部５４ｂから外したり、支持軸６４を孔部５４ａから外したりすることによって行う不正行為をより確実に防止できる。
【００５１】
従って、本実施形態によれば以下のような効果を得ることができる。
【００５２】
（１）本実施形態のスロットマシン１によれば、ベース片６３と上側ヒンジ受け片５３ａとの隙間に器具を挿入して上側ヒンジ受け片５３ａを変形させて支持軸６４を孔部５４ａから外す行為が、折り返し片６７によって防止される。また、ベース片７３と下側ヒンジ受け片５３ｂとの隙間に器具を挿入して下側ヒンジ受け片５３ｂを変形させて支持軸７４を孔部５４ｂから外す行為が、折り返し片７７によって防止される。従って、前枠２と中枠３との間に生じさせた隙間からスロットマシン１内に不正器具を挿入して行う不正行為を確実に防止できる。
【００５３】
（２）本実施形態の上側第２蝶着部６１には折り返し片６７が一体形成されているため、上側第２蝶着部６１が三次元的な形状となって変形しにくくなり、ベース片６３の剛性が向上する。これにより、上側第２蝶着部６１によって前枠２を支持しやすくなる。ところで、本実施形態の下側第２蝶着部７１には、前枠２の自重が掛かるため、上側第２蝶着部６１よりも高い剛性が要求される。しかし、下側第２蝶着部７１は、折り返し片７７に加えて折り曲げ片７９も一体形成されているため、下側第２蝶着部７１が三次元的な形状となって変形しにくくなり、ベース片７３の剛性はベース片６３よりも高くなる。従って、下側第２蝶着部７１によって前枠２を容易に支持することができる。
【００５４】
（３）例えば、折り返し片６７，７７を、ヒンジ受け片５３ａ，５３ｂから遠い位置にある取付片６２，７２に形成する場合、折り返し片６７，７７の形成時の折り曲げ回数を多くする必要があるため、折り返し片６７，７７の形成が大変である。一方、本実施形態の折り返し片６７，７７は、取付片６２，７２よりもヒンジ受け片５３ａ，５３ｂの近傍に位置するベース片６３，７３に形成されている。その結果、折り返し片６７，７７の形成時の折り曲げ回数が少なくなるため、折り返し片６７，７７の形成が容易になる。
【００５５】
（４）本実施形態では、第１蝶着部５１を形成する金属板が、上側第２蝶着部６１や下側第２蝶着部７１を形成する金属板よりも薄くなっている。これにより、第１蝶着部５１が取り付けられる前枠２が軽量化されるため、前枠２を回動させやすくなる。
【００５６】
（５）本実施形態では、第１蝶着部５１に規制片５５が設けられるとともに、上側第２蝶着部６１に、規制片５５が係合するための規制口６５が設けられている。これにより、孔部５４ａ（または孔部５４ｂ）に支持軸６４（または支持軸７４）を挿入したまま前枠２を上方向に移動させて中枠３との間に隙間を生じさせる行為が、折り返し片６７，７７がヒンジ受け片５３ａ，５３ｂに当接することだけでなく、規制片５５が規制口６５に係合することによっても防止される。ゆえに、スロットマシン１内に不正器具を挿入して行う不正行為をより確実に防止できる。
【００５７】
なお、本発明の実施形態は以下のように変更してもよい。
【００５８】
・上記実施形態では、ベース片６３に、同ベース片６３から突出し、先端部６８が折り返された折り返し片６７が形成されるとともに、ベース片７３に、同ベース片７３から突出し、先端部７８が折り返された折り返し片７７が形成されていた。しかし、上側ヒンジ受け片５３ａに、同上側ヒンジ受け片５３ａから突出し、先端部９２が折り返された折り返し片９１がさらに形成されていてもよい（図１１参照）。また、下側ヒンジ受け片５３ｂに、同下側ヒンジ受け片５３ｂから突出し、先端部（図示略）が折り返された折り返し片（図示略）がさらに形成されていてもよい。なお、上側ヒンジ受け片５３ａに折り返し片９１が形成されている場合、折り返し片６７は省略されていてもよい。また、下側ヒンジ受け片５３ｂに折り返し片が形成されている場合、折り返し片７７は省略されていてもよい。
【００５９】
・上記実施形態では、第１蝶着部５１の上端側に折り返し片６７を有する機構（上側第２蝶着部６１）が設けられるとともに、第１蝶着部５１の下端側に折り返し片７７を有する機構（下側第２蝶着部７１）が設けられていた。しかし、折り返し片６７，７７を有する機構は、第１蝶着部５１の上端側のみに設けられていてもよいし、下端側のみに設けられていてもよい。
【００６０】
・上記実施形態では、ベース片６３に支持軸６４が設けられ、上側ヒンジ受け片５３ａに孔部５４ａが設けられているが、ベース片６３に孔部５４ａが設けられ、上側ヒンジ受け片５３ａに支持軸６４が設けられていてもよい。また、上記実施形態では、ベース片７３に支持軸７４が設けられ、下側ヒンジ受け片５３ｂに孔部５４ｂが設けられているが、ベース片７３に孔部５４ｂが設けられ、下側ヒンジ受け片５３ｂに支持軸７４が設けられていてもよい。
【００６１】
・上記実施形態の規制口６５は、取付片６２に貫通形成された貫通孔であった。しかし、規制口６５は、取付片６２の一方の面のみにて開口する有底の凹部（非貫通孔）であってもよい。
【００６２】
・上記実施形態の構成を、スロットマシン１以外の遊技機、例えば、メダルを遊技媒体とするスロットマシンや、パチンコ機などに適用してもよい。要するに、開閉可能な２つの枠を有する縦置きの遊技機であれば、上記実施形態の構成を適用することができる。
【００６３】
次に、特許請求の範囲に記載された技術的思想のほかに、前述した実施形態によって把握される技術的思想を以下に列挙する。
【００６４】
（１）請求項１乃至６のいずれか１項において、前記第１蝶着部に、前記縦フレーム部に対して前記ヒンジ受け部とは逆方向に突出する規制片が設けられ、前記第２蝶着部に、前記規制片が係合するための規制口が設けられていることを特徴とする遊技機。
【００６５】
（２）請求項１乃至６のいずれか１項において、前記支持部は支持軸であり、前記被支持部は、前記支持軸が挿入される孔部であることを特徴とする遊技機。
【００６６】
（３）請求項１乃至６のいずれか１項において、前記第２蝶着部は、前記第１蝶着部の上側及び下側にそれぞれ位置しており、前記第１蝶着部の下側に位置する前記第２蝶着部は、前記ベース部の外周縁から突出し、前記ベース部の上面側に折り曲げられた折り曲げ部を有していることを特徴とする遊技機。
【００６７】
（４）請求項１乃至６のいずれか１項において、前記支持部は前記ベース部に設けられていることを特徴とする遊技機。
【００６８】
（５）請求項１乃至６のいずれか１項において、前記被支持部は前記ヒンジ受け部に設けられていることを特徴とする遊技機。
【００６９】
（６）請求項１乃至６のいずれか１項において、前記折り返し部は、前記ベース部または前記ヒンジ受け部の外周縁から突出していることを特徴とする遊技機。
【００７０】
（７）請求項４において、前記ヒンジ受け部に対応するベース部に前記折り返し部が形成されていることを特徴とする遊技機。
【００７１】
（８）第１蝶着部が設けられた第１の枠と、前記第１蝶着部に対応する第２蝶着部が設けられ、前記第１の枠が開閉可能に取り付けられた第２の枠とを備えた縦置きの遊技機において、前記第２蝶着部は、金属板を屈曲させることによって形成され、前記第２の枠の前面に取り付けられる取付片と、前記取付片から垂直に突出するベース片と、前記ベース片に設けられ、前記第１蝶着部を回動可能に支持するための支持軸とを備え、前記第１蝶着部は、金属板を屈曲させることによって形成され、前記第１の枠の後面に取り付けられる縦フレーム片と、前記縦フレーム片の端部から垂直に突出し、前記ベース片の上面側に位置するヒンジ受け片と、前記ヒンジ受け片に設けられ、前記支持軸が挿入支持される孔部とを備え、前記取付片、前記ベース片及び前記ヒンジ受け片の少なくとも１つに、前記取付片、前記ベース片及び前記ヒンジ受け片のいずれかの外周縁から突出し、少なくともその先端部が前記ベース片の突出方向と直交する方向を向くように折り返された折り返し片が形成され、前記支持軸が前記孔部に挿入支持されることによって前記第１の枠が前記第２の枠に支持され、前記第１の枠が閉じている状態において、前記折り返し片の先端部が前記ヒンジ受け片の上面及び前記ベース片の下面の少なくとも一方に近接して配置されることを特徴とする遊技機。
【００７２】
（９）技術的思想（８）において、前記第１蝶着部を形成する金属板は、前記第２蝶着部を形成する金属板よりも薄いことを特徴とする遊技機。
【図面の簡単な説明】
【００７３】
【図１】本実施形態におけるスロットマシンを示す正面図。
【図２】前枠が取り外された状態のスロットマシンを示す正面図。
【図３】（ａ），（ｂ）は、第１蝶着部、上側第２蝶着部及び下側第２蝶着部を示す斜視図。
【図４】（ａ），（ｂ）は、第１蝶着部、上側第２蝶着部及び下側第２蝶着部を示す斜視図。
【図５】（ａ），（ｂ）は、第１蝶着部及び上側第２蝶着部を示す要部斜視図。
【図６】（ａ），（ｂ）は、第１蝶着部及び下側第２蝶着部を示す要部斜視図。
【図７】下側第２蝶着部を示す斜視図。
【図８】下側第２蝶着部を示す正面図。
【図９】（ａ），（ｂ）は、上側ヒンジ受け片と上側第２蝶着部との関係を示す断面図。
【図１０】（ａ），（ｂ）は、下側ヒンジ受け片と下側第２蝶着部との関係を示す断面図。
【図１１】他の実施形態における第１蝶着部及び上側第２蝶着部を示す要部斜視図。
【符号の説明】
【００７４】
１…遊技機としてのスロットマシン
２…第１の枠としての前枠
３…第２の枠としての中枠
５１…第１蝶着部
５２…縦フレーム部としての縦フレーム片
５３ａ…ヒンジ受け部としての上側ヒンジ受け片
５３ｂ…ヒンジ受け部としての下側ヒンジ受け片
５３ｃ，５３ｄ…ヒンジ受け部の上面
５４ａ，５４ｂ…被支持部としての孔部
６１…第２蝶着部としての上側第２蝶着部
６３，７３…ベース部としてのベース片
６３ａ，７３ａ…ベース部の上面
６３ｂ，７３ｂ…ベース部の下面
６４，７４…支持部としての支持軸
６７，７７，９１…折り返し部としての折り返し片
６８，７８，９２…折り返し部の先端部
６８ａ，７８ａ…折り返し部の先端部の上面
６８ｂ，７８ｂ…折り返し部の先端部の下面
７１…第２蝶着部としての下側第２蝶着部
【図１】
0004399413.tif 000002
【図２】
0004399413.tif 000003
【図３】
0004399413.tif 000004
【図４】
0004399413.tif 000005
【図５】
0004399413.tif 000006
【図６】
0004399413.tif 000007
【図７】
0004399413.tif 000008
【図８】
0004399413.tif 000009
【図９】
0004399413.tif 000010
【図１０】
0004399413.tif 000011
【図１１】
0004399413.tif 000012